(57)【要約】【課題】先行の媒体と後続の媒体とを重ねて媒体を搬送する記録装置であって、その構造が簡潔である記録装置を提供する。【解決手段】記録装置１は、第１給送部３と、第２給送部５と、記録部６と、第１給送部３から記録部６までの第１搬送経路ＬＡと、第２給送部５から記録部６までの第２搬送経路ＬＢと、記録部６の直前に配置されて媒体を搬送する第１搬送ローラー対２１とを備える。第２搬送経路ＬＢは第１搬送経路ＬＡの上方にあり、第１搬送経路ＬＡと第２搬送経路ＬＢとの合流領域ＡＪは、第１搬送ローラー対２１の上流側の空間として構成される。そして、上流側の空間において、先行して第２給送部５から給送された媒体が第１搬送ローラー対２１に挟持された状態で、第２給送部５から給送された後続の媒体を先行の媒体の上に重ね、両媒体は重ねられた状態で搬送され、後続媒体において先行媒体の上に重なっている部分が記録部により記録される。【選択図】図１
2017178485.tif 000002
【特許請求の範囲】
【請求項１】
媒体を給送する第１給送部と、
媒体を給送する第２給送部と、
前記第１給送部または前記第２給送部から給送された前記媒体に記録を行う記録部と、
前記第１給送部から前記記録部まで媒体を搬送する経路である第１搬送経路と、
前記第２給送部から前記記録部まで媒体を搬送する経路である第２搬送経路と、
前記記録部の直前に配置され、前記第１搬送経路または前記第２搬送経路から搬送された媒体を前記記録部に搬送するローラー対と、を備え、
前記第２搬送経路は前記第１搬送経路よりも上方に配置され、
前記第１搬送経路と前記第２搬送経路との合流領域は、前記ローラー対の上流側の空間として構成され、
前記上流側の空間において、先行して前記第２給送部から給送された媒体が前記ローラー対に挟持された状態で、前記第２給送部から給送された後続の媒体を先行の媒体の上に重ね、前記先行の媒体と前記後続の媒体とが重ねられた状態で搬送され、
前記後続の媒体において前記先行の媒体の上に重なっている部分に前記記録部が記録する記録動作を有する
ことを特徴とする記録装置。
【請求項２】
先行して前記第２給送部から給送された媒体が前記ローラー対に挟持されてかつ前記媒体の後端が前記第１搬送経路に位置する状態で、前記第２給送部から給送される後続の媒体を先行の媒体の上に重ねるように制御する
請求項１に記載の記録装置。
【請求項３】
媒体を給送する第１給送部と、
媒体を給送する第２給送部と、
前記第１給送部または前記第２給送部から給送された前記媒体に記録を行う記録部と、
前記第１給送部から前記記録部まで媒体を搬送する経路である第１搬送経路と、
前記第２給送部から前記記録部まで媒体を搬送する経路である第２搬送経路と、
前記記録部の直前に配置され、前記第１搬送経路または前記第２搬送経路から搬送された媒体を前記記録部に搬送するローラー対と、を備え、
前記第２搬送経路は前記第１搬送経路よりも上方に配置され、
前記第１搬送経路と前記第２搬送経路との合流領域は、前記ローラー対の上流側の空間として構成され、
先行して前記第１給送部から給送された媒体が前記ローラー対に挟持された状態で、前記第２給送部から給送された後続の媒体を先行の媒体の上に重ね、前記先行の媒体と前記後続の媒体とが重ねられた状態で搬送される第１重ね処理と、先行して前記第２給送部から給送された媒体が前記ローラー対に挟持されてかつ前記媒体の後端が前記第２搬送経路に位置する状態で、前記第１給送部から給送された後続の媒体を先行の媒体の下に重ね、前記先行の媒体と前記後続の媒体とが重ねられた状態で搬送される第２重ね処理とを、交互に繰り返し、
前記後続の媒体において前記先行の媒体の上に重なっている部分に前記記録部が記録する記録動作、および、前記先行の媒体において前記後続の媒体の上に重なっている部分に前記記録部が記録する記録動作の少なくとも一方を有する
ことを特徴とする記録装置。
【請求項４】
媒体を給送する給送部と、
前記給送部から給送された前記媒体に記録を行う記録部と、
前記給送部から前記記録部まで媒体を搬送する経路である搬送経路と、
前記記録部の直前に配置され、前記搬送経路から搬送された媒体を前記記録部に搬送するローラー対と、
前記記録部で記録が行われた前記媒体をローラー対の上流に搬送する経路である反転搬送経路と、備え、
前記搬送経路は前記反転搬送経路よりも上方に配置され、
前記搬送経路と前記反転搬送経路との合流領域は、前記ローラー対の上流側の空間として構成され、
前記上流側の空間において、先行して前記反転搬送経路から給送された媒体が前記ローラー対に挟持された状態で、前記給送部から給送された後続の媒体を先行の媒体の上に重ね、前記先行の媒体と前記後続の媒体とが重ねられた状態で搬送され、
前記後続の媒体において前記先行の媒体の上に重なっている部分に前記記録部が記録する記録動作を有する
ことを特徴とする記録装置。
【請求項５】
媒体を給送する給送部と、
前記給送部から給送された前記媒体に記録を行う記録部と、
前記給送部から前記記録部まで媒体を搬送する経路である搬送経路と、
前記記録部の直前に配置され、前記搬送経路から搬送された媒体を前記記録部に搬送するローラー対と、を備え、
前記ローラー対の上流側には、前記給送部から給送される前記媒体が、前記記録部の直前の搬送経路よりも高い位置から前記直前の搬送経路に向かって進入する空間が構成され、
前記上流側の前記空間において、先行して前記給送部から給送された媒体が前記ローラー対に挟持された状態で、前記給送部から給送された後続の媒体を先行の媒体の上に重ね、前記先行の媒体と前記後続の媒体とが重ねられた状態で搬送され、
前記後続の媒体において前記先行の媒体の上に重なっている部分に前記記録部が記録する記録動作を有する
ことを特徴とする記録装置。
【発明の詳細な説明】
【技術分野】
【０００１】
本発明は、先行の媒体と後続の媒体を部分的に重ねて搬送することができる記録装置に関する。
【背景技術】
【０００２】
従来から、スループットの向上を目的として先行の媒体（例えば、用紙。以下同じ。）と後続の媒体を部分的に重ねて搬送することができる記録装置が知られている（例えば、特許文献１）。
【０００３】
特許文献１に記載の記録装置では、先行の媒体の後端部をレバーにより押さえた上で、先行の媒体の後端部と後続の媒体の前端部とを重ねる（同文献の図２のＳＴ５及びＳＴ６参照）。
【先行技術文献】
【特許文献】
【０００４】
【特許文献１】特開２０１５−１６８２３７号公報
【発明の概要】
【発明が解決しようとする課題】
【０００５】
ところで、従来技術では、レバーで先行の媒体の後端部を押さえて先行の媒体を湾曲させることにより、先行の媒体の上に後続の媒体を重ねる。このように従来技術では、レバーを用いるため、レバー駆動装置が必要となり、全体としてその構造が複雑になっている。本発明は、先行の媒体と後続の媒体とを重ねて媒体を搬送する記録装置において、その構造を簡潔にすることを目的とする。
【課題を解決するための手段】
【０００６】
以下、上記課題を解決するための手段及びその作用効果について記載する。
上記課題を解決する記録装置は、媒体を給送する第１給送部と、媒体を給送する第２給送部と、前記第１給送部または前記第２給送部から給送された前記媒体に記録を行う記録部と、前記第１給送部から前記記録部まで媒体を搬送する経路である第１搬送経路と、前記第２給送部から前記記録部まで媒体を搬送する経路である第２搬送経路と、前記記録部の直前に配置され、前記第１搬送経路または前記第２搬送経路から搬送された媒体を前記記録部に搬送するローラー対と、を備え、前記第２搬送経路は前記第１搬送経路よりも上方に配置され、前記第１搬送経路と前記第２搬送経路との合流領域は、前記ローラー対の上流側の空間として構成され、前記上流側の空間において、先行して前記第２給送部から給送された媒体が前記ローラー対に挟持された状態で、前記第２給送部から給送された後続の媒体を先行の媒体の上に重ね、前記先行の媒体と前記後続の媒体とが重ねられた状態で搬送され、前記後続の媒体において前記先行の媒体の上に重なっている部分に前記記録部が記録する記録動作を有する。
【０００７】
この構成によれば、第２搬送経路を通過するように媒体が搬送されるとき、その媒体は第１搬送経路と第２搬送経路との合流領域においてローラー対の上流側の空間として構成されたところを通過する。そして、媒体の後端が合流領域を通過すると、媒体の後端は下方に移動し、第１搬送経路上に配置される。このため、その後、後続の媒体が、第２搬送経路を通過するように搬送されると、先行の媒体の上に後続の媒体が部分的に重なるようになる。このように、上記構成では、先行する媒体を湾曲状態に維持することなく、先行の媒体と後続の媒体とが部分的に重ねられる。したがって、先行する媒体を湾曲状態に維持するための機構を備えないため、記録装置の構造を簡潔にできる。
【０００８】
上記記録装置において、先行して前記第２給送部から給送された媒体が前記ローラー対に挟持されてかつ前記媒体の後端が前記第１搬送経路に位置する状態で、前記第２給送部から給送される後続の媒体を先行の媒体の上に重ねるように制御することが好ましい。
【０００９】
この構成によれば、先行する媒体がローラー対に挟持されて且つその後端が第１搬送経路に位置する状態において、第２搬送経路から給送される後続の媒体を先行の媒体の上に重ねるように制御するため、先行の媒体の上に後続の媒体が部分的に重ねられる確実性が増す。
【００１０】
上記課題を解決する記録装置は、媒体を給送する第１給送部と、媒体を給送する第２給送部と、前記第１給送部または前記第２給送部から給送された前記媒体に記録を行う記録部と、前記第１給送部から前記記録部まで媒体を搬送する経路である第１搬送経路と、前記第２給送部から前記記録部まで媒体を搬送する経路である第２搬送経路と、前記記録部の直前に配置され、前記第１搬送経路または前記第２搬送経路から搬送された媒体を前記記録部に搬送するローラー対と、を備え、前記第２搬送経路は前記第１搬送経路よりも上方に配置され、前記第１搬送経路と前記第２搬送経路との合流領域は、前記ローラー対の上流側の空間として構成され、先行して前記第１給送部から給送された媒体が前記ローラー対に挟持された状態で、前記第２給送部から給送された後続の媒体を先行の媒体の上に重ね、前記先行の媒体と前記後続の媒体とが重ねられた状態で搬送される第１重ね処理と、先行して前記第２給送部から給送された媒体が前記ローラー対に挟持されてかつ前記媒体の後端が前記第２搬送経路に位置する状態で、前記第１給送部から給送された後続の媒体を先行の媒体の下に重ね、前記先行の媒体と前記後続の媒体とが重ねられた状態で搬送される第２重ね処理とを、交互に繰り返し、前記後続の媒体において前記先行の媒体の上に重なっている部分に前記記録部が記録する記録動作、および、前記先行の媒体において前記後続の媒体の上に重なっている部分に前記記録部が記録する記録動作の少なくとも一方を有する。
【００１１】
この構成によれば、第１重ね処理により、先行の媒体がローラー対に挟持された状態で、第２搬送経路を通過する後続の媒体が先行の媒体に対して部分的に重ねられる。また、第２重ね処理により、先行の媒体がローラー対に挟持された状態で、第１搬送経路を通過する後続の媒体が先行の媒体に対して部分的に重ねられる。このように、上記構成では、先行する媒体を湾曲状態に維持することなく、先行の媒体と後続の媒体とが部分的に重ねられる。したがって、先行する媒体を湾曲状態に維持するための機構を備えないため、記録装置の構造を簡潔にできる。
【００１２】
上記課題を解決する記録装置は、媒体を給送する給送部と、前記給送部から給送された前記媒体に記録を行う記録部と、前記給送部から前記記録部まで媒体を搬送する経路である搬送経路と、前記記録部の直前に配置され、前記搬送経路から搬送された媒体を前記記録部に搬送するローラー対と、前記記録部で記録が行われた前記媒体をローラー対の上流に搬送する経路である反転搬送経路と、備え、前記搬送経路は前記反転搬送経路よりも上方に配置され、前記搬送経路と前記反転搬送経路との合流領域は、前記ローラー対の上流側の空間として構成され、前記上流側の空間において、先行して前記反転搬送経路から給送された媒体が前記ローラー対に挟持された状態で、前記給送部から給送された後続の媒体を先行の媒体の上に重ね、前記先行の媒体と前記後続の媒体とが重ねられた状態で搬送され、前記後続の媒体において前記先行の媒体の上に重なっている部分に前記記録部が記録する記録動作を有する。
【００１３】
この構成によれば、反転搬送経路を通過するように媒体が搬送されるとき、その媒体は搬送経路と反転搬送経路との合流領域においてローラー対の上流側の空間として構成されたところを通過する。そして、媒体の後端が合流領域を通過すると、媒体の後端は搬送経路の下に配置される。このため、その後、後続の媒体が、搬送経路を通過するように搬送されると、先行の媒体の上に後続の媒体が部分的に重なるようになる。このように、上記構成では、先行する媒体を湾曲状態に維持することなく、先行の媒体と後続の媒体とが部分的に重ねられる。すなわち、この構成では、反転搬送経路が媒体の重ね処理を行うために利用されている。このように、先行する媒体を湾曲状態に維持するための専用の機構を備えないことから、記録装置の構造を簡潔にできる。
【００１４】
上記課題を解決する記録装置は、媒体を給送する給送部と、前記給送部から給送された前記媒体に記録を行う記録部と、前記給送部から前記記録部まで媒体を搬送する経路である搬送経路と、前記記録部の直前に配置され、前記搬送経路から搬送された媒体を前記記録部に搬送するローラー対と、を備え、前記ローラー対の上流側には、前記給送部から給送される前記媒体が、前記記録部の直前の搬送経路よりも高い位置から前記直前の搬送経路に向かって進入する空間が構成され、前記上流側の前記空間において、先行して前記給送部から給送された媒体が前記ローラー対に挟持された状態で、前記給送部から給送された後続の媒体を先行の媒体の上に重ね、前記先行の媒体と前記後続の媒体とが重ねられた状態で搬送され、前記後続の媒体において前記先行の媒体の上に重なっている部分に前記記録部が記録する記録動作を有する。
【００１５】
この構成によれば、上記空間を通過するように媒体が搬送され、媒体の後端がその空間を通過するとき、媒体の後端は下方に移動する。このため、その後、後続の媒体が、上記空間を通過するように搬送されると、先行の媒体の上に後続の媒体が部分的に重なるようになる。このように、上記構成では、先行する媒体を湾曲状態に維持することなく、先行の媒体と後続の媒体とが部分的に重ねられる。したがって、先行する媒体を湾曲状態に維持するための機構を備えないため、記録装置の構造を簡潔にできる。
【図面の簡単な説明】
【００１６】
【図１】第１実施形態に係る記録装置の模式図。
【図２】第１実施形態に係る記録装置における媒体の重ね搬送動作を示す模式図。
【図３】第１実施形態に係る記録装置における媒体の重ね搬送動作を示す模式図。
【図４】第２実施形態に係る記録装置における媒体の重ね搬送動作を示す模式図。
【図５】第２実施形態に係る記録装置における媒体の重ね搬送動作を示す模式図。
【図６】第２実施形態に係る記録装置における媒体の重ね搬送動作を示す模式図。
【図７】第２実施形態に係る記録装置における媒体の重ね搬送動作を示す模式図。
【図８】第３実施形態に係る記録装置における媒体の重ね搬送動作を示す模式図。
【図９】第３実施形態に係る記録装置における媒体の重ね搬送動作を示す模式図。
【図１０】第３実施形態に係る記録装置における媒体の重ね搬送動作を示す模式図。
【図１１】第３実施形態に係る記録装置における媒体の重ね搬送動作を示す模式図。
【発明を実施するための形態】
【００１７】
＜第１実施形態＞
以下、記録装置の一実施形態を図面に従って説明する。
なお、記録装置の上下方向は次のように定義される。すなわち、記録装置を使用可能態様で設置したときの姿勢において、鉛直方向に沿う方向を、記録装置の「上下方向」といい、その設置状態における鉛直方向の上を記録装置の「上側」といい、その反対側を「下側」という。
【００１８】
図１に示すように、第１実施形態に係る記録装置１は、用紙などの媒体ＰＰを給送する第１給送部３と、用紙などの媒体ＰＰを給送する第２給送部５と、第１給送部３または第２給送部５から給送された媒体ＰＰに記録を行う記録部６と、記録部６における媒体ＰＰを搬送する搬送部２０と、制御装置３０とを備える。第２給送部５は、第１給送部３よりも高い位置に配置される。
【００１９】
第１給送部３は、用紙などの媒体ＰＰを収容する第１収容部２に収容された媒体ＰＰを給送する。例えば、第１給送部３は、第１収容部２に積層された媒体ＰＰのうち最上位の媒体ＰＰを送り出すピックアップローラー８、第１収容部２からピックアップされた媒体ＰＰを記録部６に案内する第１搬送部９とを備えている。なお、第１搬送部９に沿う媒体ＰＰの移動経路を「第１搬送経路ＬＡ」という。
【００２０】
第１搬送部９は、搬送駆動ローラー１０と、搬送駆動ローラー１０との間に媒体ＰＰを挟持して従動回転する２つの搬送従動ローラー１１，１２と、搬送駆動ローラー１０の下流側に配置される第１ガイド１３とを備える。第１搬送部９における２つの搬送従動ローラー１１，１２のうち、上流側のものを「第１搬送従動ローラー１１」といい、下流側のものを「第２搬送従動ローラー１２」という。
【００２１】
第１搬送従動ローラー１１及び第２搬送従動ローラー１２は、搬送駆動ローラー１０の周りに配置される。
第１搬送従動ローラー１１は、第１搬送経路ＬＡにおいてピックアップローラー８側に配置される。第２搬送従動ローラー１２は、第１搬送経路ＬＡにおいて第１搬送従動ローラー１１よりも下流側であって、搬送駆動ローラー１０の回転軸１０ａよりも上方かつ搬送駆動ローラー１０の回転軸１０ａより搬送部２０の第１搬送ローラー対２１寄り（後述参照）に配置される。
【００２２】
第１ガイド１３は、搬送駆動ローラー１０の回転軸１０ａよりも低い位置で媒体ＰＰを支持する。好ましくは、第１ガイド１３は、第１搬送ローラー対２１よりも高い位置で媒体ＰＰを支持する。これにより、媒体ＰＰには、第１搬送ローラー対２１による搬送力に加えて重力の分力（搬送方向への分力）が作用するようになるため、媒体ＰＰが円滑に搬送されるようになる。
【００２３】
第２給送部５は、用紙などの媒体ＰＰを収容する第２収容部４に収容された媒体ＰＰを給送する。例えば、第２給送部５は、第２収容部４に積層された媒体ＰＰのうち最上位の媒体ＰＰを送り出すピックアップローラー１４と、第２収容部４からピックアップされた媒体ＰＰを記録部６に案内する第２搬送部１５とを備える。
【００２４】
第２搬送部１５は、第２ガイド１６と、第２ガイド１６上の媒体ＰＰの搬送を制御する制御ローラー１７とを備えている。なお、第２ガイド１６に沿う媒体ＰＰの移動経路を「第２搬送経路ＬＢ」という。また、第１搬送経路ＬＡと第２搬送経路ＬＢとが合流する付近の領域を「合流領域ＡＪ」いう。合流領域ＡＪは、第１搬送ローラー対２１（後述参照）の上流側の空間として構成される。この空間は、第２給送部５から給送される媒体ＰＰが第１給送部３から給送される媒体よりも高い位置から搬送方向に向かって下方に進入し得るように、構成される。
【００２５】
第２搬送経路ＬＢの構成要素である第２ガイド１６は、第１搬送経路ＬＡの構成要素である第１ガイド１３の上方に配置される。第２ガイド１６は、そのガイド方向が下流（すなわち搬送方向）に向かって下がるように設定されている。第２ガイド１６の下流側端部は、第１ガイド１３の上方であってかつ第１搬送ローラー対２１から所定距離だけ上流側の所定の位置に配置される。すなわち、第２搬送経路ＬＢは、第１搬送経路ＬＡと第２搬送経路ＬＢとの合流領域ＡＪにおいて、媒体ＰＰを支持しない部分（以下、「非支持部ＮＳ」という。）を有する。このように、第１搬送ローラー対２１の直前（上流側）には空間が構成される。この空間は、先行する媒体ＰＰの後部と後続する媒体ＰＰの前部とを重ね合わせるための空間（以下、「重ね空間ＳＰ」という。後述参照。）となる。
【００２６】
重ね空間ＳＰは、媒体ＰＰの後部を自然落下させるための空間でもある。具体的には、重ね空間ＳＰは、媒体ＰＰが搬送されて、媒体ＰＰの後端が第２ガイド１６の下流側端部を通過すると、媒体ＰＰの後端が第２搬送従動ローラー１２よりも下方に移動し得るように、第２搬送経路ＬＢに沿って十分に広い領域として構成される。
【００２７】
搬送部２０は、第１給送部３または第２給送部５により給送された媒体ＰＰを搬送する。例えば、搬送部２０は、搬送従動ローラー１１，１２よりも下流側に配置される２つの搬送ローラー対２１，２２を備えている。搬送部２０における２つの搬送ローラー対２１，２２のうち、上流側のものを「第１搬送ローラー対２１」といい、下流側のものを「第２搬送ローラー対２２」という。第１搬送ローラー対２１及び第２搬送ローラー対２２それぞれは、媒体ＰＰを挟持して回転することにより媒体ＰＰを記録部６に搬送するローラー対として機能する。
【００２８】
第１搬送ローラー対２１と第２搬送ローラー対２２との間には、媒体ＰＰを支持するための媒体支持部２３が配置され、媒体支持部２３の上方には、記録部６が配置される。図示は省略するが、記録部６は、ガイド軸に支持されて走査方向に往復移動可能なキャリッジと、キャリッジに搭載された記録ヘッドとを備えている。なお、走査方向とは、媒体ＰＰの搬送方向と交差（例えば直交）する方向である。記録ヘッドは、媒体ＰＰに対しノズルから液体を噴射して記録を行う。
【００２９】
第１搬送ローラー対２１は、記録部６の直前（上流側）であって、合流領域ＡＪよりも下流に配置される。第１搬送ローラー対２１と第２搬送従動ローラー１２との両軸間距離は、所定距離だけ隔てられている。この場合の所定距離は、少なくとも、媒体ＰＰの長さ（搬送方向に沿う縦方向の長さ）よりも短い。その理由は、媒体ＰＰのスキューを取るためである。すなわち、スキュー取りは、媒体ＰＰの前端が第１搬送ローラー対２１に突き当てられた状態で搬送駆動ローラー１０の駆動により媒体ＰＰが前方に押し出されることにより行われる。
【００３０】
次に、制御装置３０について説明する。
制御装置３０は、駆動装置を介して、記録部６を制御する。また、制御装置３０は、２個のセンサー（以下、「第１センサー３１」及び「第２センサー３２」という。）の出力信号に基づいて、駆動装置を介して、ピックアップローラー８，１４、制御ローラー１７、第１搬送従動ローラー１１、第２搬送従動ローラー１２、第１搬送ローラー対２１、及び第２搬送ローラー対２２を制御する。これより、媒体ＰＰの搬送位置を制御して、先行する媒体ＰＰと後続の媒体ＰＰとを部分的に重ね合わせる。
【００３１】
第１センサー３１は、第１搬送経路ＬＡにおいて第２搬送従動ローラー１２の直前（上流側）に配置される。
第２センサー３２は、第２搬送経路ＬＢにおいて第２ガイド１６の下流側端部に配置される。
【００３２】
第１センサー３１及び第２センサー３２は、媒体ＰＰを検出するとき「ＯＮ」状態になり、媒体ＰＰを検出しないときは「ＯＦＦ」状態になる。制御装置３０は、第１センサー３１及び第２センサー３２が「ＯＦＦ」から「ＯＮ」に切り替わることに基づいて、媒体ＰＰの前端がセンサー付近を通過したと判定する。制御装置３０は、第１センサー３１及び第２センサー３２が「ＯＮ」から「ＯＦＦ」に切り替わることに基づいて、媒体ＰＰの後端がセンサー付近を通過したと判定する。
【００３３】
図２及び図３を参照して、記録装置１の動作について説明する。以下、この説明において、先行する媒体ＰＰを「先行媒体ＰＰＡ」といい、先行の媒体ＰＰに後続する媒体ＰＰを「後続媒体ＰＰＢ」という。
【００３４】
記録装置１は、先行媒体ＰＰＡに対して所定間隔をあけて後続媒体ＰＰＢを搬送する通常搬送動作と、先行媒体ＰＰＡに後続媒体ＰＰＢの一部を重ねた状態で先行媒体ＰＰＡ及び後続媒体ＰＰＢを搬送する重ね搬送動作とを有する。ここでは、重ね搬送動作について説明する。
【００３５】
重ね搬送動作は、第２給送部５に収容される媒体ＰＰを用いて実行される。
図２に示されるように、重ね搬送動作が開始されると、第２収容部４から先行媒体ＰＰＡがピックアップされ、制御ローラー１７の駆動により第２搬送経路ＬＢに沿って先行媒体ＰＰＡが搬送される。この搬送により、先行媒体ＰＰＡの前端は、第２ガイド１６の下流側端部を通過し、その後、第１搬送ローラー対２１に突き当たる。このとき、先行媒体ＰＰＡのスキュー及び頭出しが実行されて、先行媒体ＰＰＡは、記録部６による記録が開始される。
【００３６】
先行媒体ＰＰＡの記録が進行して、先行媒体ＰＰＡの後端が第２ガイド１６の下流側端部を通過すると、先行媒体ＰＰＡの後部は第２搬送経路ＬＢの非支持部ＮＳに至るため、先行媒体ＰＰＡの後端が下方に重力の作用で移動する。また、先行媒体ＰＰＡの後端が第２ガイド１６の下流側端部を通過するとき、第２センサー３２が先行媒体ＰＰＡの後端を検出する。制御装置３０は、この検出に基づいて、ピックアップローラー１４により後続媒体ＰＰＢをピックアップさせて、制御ローラー１７の駆動により後続媒体ＰＰＢを前方に搬送させる。後続媒体ＰＰＢの前端が第１搬送経路ＬＡの直前に至るとき、制御装置３０は、制御ローラー１７の駆動停止により後続媒体ＰＰＢの搬送を止める。
【００３７】
このとき、図３に示されるように、先行媒体ＰＰＡと後続媒体ＰＰＢとの重なりが準備される。先行媒体ＰＰＡの記録の最後のパスが完了すると、制御装置３０は、後続媒体ＰＰＢを搬送して、スキュー取りを実行する。その後、制御装置３０は、先行媒体ＰＰＡの後端部と後続媒体ＰＰＢの前端部とが重なりあう状態で先行媒体ＰＰＡと後続媒体ＰＰＢとを共に搬送する。記録部６は、記録部６に入力される信号に基づいて駆動し、媒体ＰＰにインクを記録する。後続媒体ＰＰＢにおいて先行媒体ＰＰＡの上に重なっている部分（または重なり部分の一部）が媒体ＰＰにおける印刷範囲内に入っている場合には、当該重なり部分にもインクが記録される。
【００３８】
次に、上記のように構成された記録装置１の作用を説明する。
上述のように、記録装置１は、第１搬送経路ＬＡと第２搬送経路ＬＢとを備え、その合流領域ＡＪは、第１搬送ローラー対２１の上流側の空間として構成される。具体的には、この空間は、第２搬送経路ＬＢにおいて非支持部ＮＳを設けることにより構成される。このような空間が第２搬送経路ＬＢの途中に設けられることにより、媒体ＰＰの前方移動により媒体ＰＰの後部が支持されなくなると、媒体ＰＰの後部が下方に移動する。このため、後続媒体ＰＰＢは、先行媒体ＰＰＡの後部の上方に配置され得る。このようにして、先行媒体ＰＰＡと後続媒体ＰＰＢとが重ねられる。
【００３９】
このような構成によれば、先行媒体ＰＰＡと後続媒体ＰＰＢとを重ねるための手段として従来技術で採用されていたレバー及びレバーを回転させるための駆動機構が必要とされない。すなわち、制御ローラー１７の制御により、先行媒体ＰＰＡと後続媒体ＰＰＢとの重なりが簡単に実現される。また、上述したように先行媒体ＰＰＡと後続媒体ＰＰＢとの重なり部分にもインクが記録され得るため、重なり部分にインクが記録されない構成に比べて、印刷範囲の制限が少ない。
【００４０】
本実施形態の記録装置１によれば、以下のような効果を得ることができる。
（１）第２搬送経路ＬＢを通過するように媒体ＰＰが搬送されるとき、その媒体ＰＰは第１搬送経路ＬＡと第２搬送経路ＬＢとの合流領域ＡＪにおいて第１搬送ローラー対２１（ローラー対）の上流側の空間（重ね空間ＳＰ）を通過する。そして、その媒体ＰＰの後端が合流領域ＡＪを通過すると、媒体ＰＰの後端は下方に移動し、第１搬送経路ＬＡ上に配置される。このため、その後、後続媒体ＰＰＢが、第２搬送経路ＬＢを通過するように搬送されると、先行媒体ＰＰＡの上に後続媒体ＰＰＢが部分的に重なるようになる。このように、先行媒体ＰＰＡを湾曲状態に維持することなく、先行媒体ＰＰＡと後続媒体ＰＰＢとが部分的に重ねられる。したがって、先行媒体ＰＰＡを湾曲状態に維持するための機構を備えないため、記録装置１の構造を簡潔にできる。
【００４１】
（２）また、実施形態では、先行媒体ＰＰＡの後端が第１搬送経路ＬＡに位置する状態で、第２給送部５から給送される後続媒体ＰＰＢを先行媒体ＰＰＡの上に重ねる。こうすることで、先行媒体ＰＰＡが第１搬送ローラー対２１に挟持されて且つ先行媒体ＰＰＡの後端が下降中であって当該先行媒体ＰＰＡの後端が第１搬送経路ＬＡに位置しないときに、後続媒体ＰＰＢを先行媒体ＰＰＡの上に重ねる場合（以下、比較の場合）に比べて、先行媒体ＰＰＡの上に後続媒体ＰＰＢが部分的に重ねられる確実性が増す。比較の場合では、先行媒体ＰＰＡの後端と後続媒体ＰＰＢの前端とが衝突するおそれがあり、その衝突により先行媒体ＰＰＡと後続媒体ＰＰＢとが重ならないまたは媒体ＰＰが変形することがあるからである。
【００４２】
＜第２実施形態＞
図４を参照して、第２実施形態に係る記録装置１０１について説明する。
第２実施形態に係る記録装置１０１は、次の点で第１実施形態に係る記録装置１と異なる。すなわち、本実施形態では、第２センサー３２ａは、第２搬送経路ＬＢにおいて第２ガイド１６の下流側端部よりも上流側の所定位置に配置されている。そして、本実施形態では、重ね搬送動作は、第１給送部３に収容される媒体ＰＰ及び第２給送部５に収容される媒体ＰＰを用いて実行される。
【００４３】
図４〜図７を参照して、重ね搬送動作について説明する。
図４に示されるように、重ね搬送動作が開始されると、第１収容部２から先行媒体ＰＰＡがピックアップされ、搬送駆動ローラー１０の駆動回転により第１搬送経路ＬＡに沿って先行媒体ＰＰＡが搬送される。この搬送により、先行媒体ＰＰＡの前端は、第１ガイド１３の下流側端部を通過し、その後、第１搬送ローラー対２１に突き当たる。このとき、先行媒体ＰＰＡのスキュー及び頭出しが実行されて、先行媒体ＰＰＡは、記録部６による記録が開始される。
【００４４】
図５に示されるように、先行媒体ＰＰＡの記録が進行して、先行媒体ＰＰＡの後端が第１センサー３１を通過すると、第１センサー３１が先行媒体ＰＰＡの後端を検出する。制御装置３０は、この検出に基づいて、ピックアップローラー１４により第２給送部５に積層された後続媒体ＰＰＢをピックアップさせ、制御ローラー１７の駆動により後続媒体ＰＰＢを前方に搬送させる。そして、後続媒体ＰＰＢの前端が第１搬送経路ＬＡの直前に至るとき、制御装置３０は、後続媒体ＰＰＢの搬送を止める。このとき、先行媒体ＰＰＡの上に後続媒体ＰＰＢの前端部が配置される。このようにして先行媒体ＰＰＡと後続媒体ＰＰＢとの重なりが準備される。その後、先行媒体ＰＰＡの記録の最後のパスが完了すると、制御装置３０は、後続媒体ＰＰＢを搬送して、スキュー取りを実行する。そして、制御装置３０は、先行媒体ＰＰＡの後端部と後続媒体ＰＰＢの前端部とが重なりあう状態で先行媒体ＰＰＡと後続媒体ＰＰＢとを共に搬送する。後続媒体ＰＰＢにおいて先行媒体ＰＰＡの上に重なっている部分（または重なり部分の一部）が媒体ＰＰにおける印刷範囲内に入っている場合には、当該重なり部分にもインクが記録される。なお、この時点では、後続媒体ＰＰＢは、更に後続する媒体ＰＰに対して先行するため、以降、この後続媒体ＰＰＢを先行媒体ＰＰＡという。
【００４５】
制御装置３０は、先行媒体ＰＰＡにおける記録が規定範囲（例えば予め設定されたパス数）まで進行すると、第１給送部３から後続媒体ＰＰＢをピックアップして後続媒体ＰＰＢを第１搬送経路ＬＡに沿って搬送する。第１給送部３から給送された後続媒体ＰＰＢの後端が第１センサー３１に至るとき、制御装置３０は後続媒体ＰＰＢの搬送を停止し、第１搬送経路ＬＡにおいて後続媒体ＰＰＢを待機させる。
【００４６】
図６に示されるように、先行媒体ＰＰＡの記録が進行して、先行媒体ＰＰＡの後端が第２センサー３２ａを通過すると、第２センサー３２ａが後続媒体ＰＰＢの後端を検出する。このとき、先行媒体ＰＰＡの後端は、第２ガイドにより支持されて持ち上がり、先行媒体ＰＰＡの後部の下には空間（以下、「先行媒体下方空間」という。）が構成されている。第２センサー３２ａが後続媒体ＰＰＢの後端を検出することに基づいて、制御装置３０は、第１搬送経路ＬＡに待機する後続媒体ＰＰＢを搬送駆動ローラー１０及び２つの搬送従動ローラー１１，１２により前方に送り出し、後続媒体ＰＰＢの前端が第１搬送ローラー対２１よりも上流側所定位置に至ると後続媒体ＰＰＢの搬送を止める。このとき、先行媒体ＰＰＡの下に後続媒体ＰＰＢの前端部が配置される。すなわち、先行媒体下方空間に後続媒体ＰＰＢが差し込まれるようになる。このようにして先行媒体ＰＰＡと後続媒体ＰＰＢとの重なりが準備される。
【００４７】
図７に示されるように、先行媒体ＰＰＡの記録の最後のパスが完了すると、制御装置３０は、後続媒体ＰＰＢを搬送し、スキュー取りを実行する。その後、記録装置１０１は、先行媒体ＰＰＡの後端部と後続媒体ＰＰＢの前端部とが重なりあう状態で先行媒体ＰＰＡと後続媒体ＰＰＢとを共に搬送する。先行媒体ＰＰＡにおいて後続媒体ＰＰＢの上に重なっている部分（または重なり部分の一部）が媒体ＰＰにおける印刷範囲内に入っている場合には、当該重なり部分にもインクが記録される。
【００４８】
次に、上記のように構成された記録装置１０１の作用を説明する。
上述のように、記録装置１０１は、第１搬送経路ＬＡと第２搬送経路ＬＢとを備え、その合流領域ＡＪは、第１搬送ローラー対２１の上流側の空間として構成される。具体的には、この空間は、第２搬送経路ＬＢにおいて非支持部ＮＳを設けることにより構成される。このような空間は次の２つの作用を有する。第１に、先行媒体ＰＰＡの後部が合流領域ＡＪに配置されているときは、第２搬送経路ＬＢにある後続媒体ＰＰＢを送り出すことにより先行媒体ＰＰＡの上に後続媒体ＰＰＢが重ねられる。第２に、先行媒体ＰＰＡの後部が第２搬送経路ＬＢに支持されて合流領域ＡＪの上に配置され、その先行媒体ＰＰＡの後部の下に空間が構成されるときは、第１搬送経路ＬＡにある後続媒体ＰＰＢを送り出すことにより先行媒体ＰＰＡの下に後続媒体ＰＰＢが重ねられる。このようにして、先行媒体ＰＰＡと後続媒体ＰＰＢとが重ねられる。
【００４９】
本実施形態の記録装置１０１によれば、以下のような効果を得ることができる。
第１重ね処理により、先行媒体ＰＰＡが第１搬送ローラー対２１に挟持された状態で、第２搬送経路ＬＢを通過する後続媒体ＰＰＢが先行媒体ＰＰＡに対して部分的に重ねられる。また、第２重ね処理により、先行媒体ＰＰＡが第１搬送ローラー対２１に挟持された状態で、第１搬送経路ＬＡを通過する後続媒体ＰＰＢが先行媒体ＰＰＡに対して部分的に重ねられる。このように、上記構成では、先行媒体ＰＰＡを湾曲状態に維持することなく、先行媒体ＰＰＡと後続媒体ＰＰＢとが部分的に重ねられる。したがって、先行媒体ＰＰＡを湾曲状態に維持するための機構を備えないため、記録装置１０１の構造を簡潔にできる。
【００５０】
＜第３実施形態＞
図８〜図１１を参照して、第３実施形態に係る記録装置２０１について説明する。
第３実施形態に係る記録装置２０１は、次の点で第２実施形態に係る記録装置１０１と異なる。すなわち、本実施形態では、記録装置２０１は、両面印刷を可能とするためのスイッチバック機構２１０を備える。そして、本実施形態における重ね搬送動作では、第２実施形態に示される動作に加え、スイッチバックにより搬送された媒体ＰＰと、第１給送部３または第２給送部５から給送される媒体ＰＰとを用いる。
【００５１】
スイッチバック機構２１０は、搬送経路を切り替える切替レバー２１１と、印刷された媒体ＰＰを反転移動させて記録部６の上流側に戻す反転搬送経路を構成するスイッチバックガイド２１２と、スイッチバックガイド２１２の途中に配置される第３搬送ローラー対２１３と、切替ローラー２１４とを備える。スイッチバック機構２１０の搬送経路の下流側には、媒体ＰＰを検出する第３センサー３３が配置される。
【００５２】
切替レバー２１１は、第２搬送ローラー対２２よりも下流側に配置される。切替レバー２１１は、第１位置と第２位置との間で回転可能である。
第１位置は、切替レバー２１１の上面が搬送経路に沿うように配置される、切替レバー２１１の位置である。切替レバー２１１が第１位置に配置されるとき、媒体ＰＰは、搬送経路における下流側に搬送される。
【００５３】
第２位置は、切替レバー２１１の下流側端部が搬送経路よりも下方に移動して、反転搬送経路ＬＣ（後述参照）の入り口を開口させる、切替レバー２１１の位置である。切替レバー２１１が第２位置に配置されるとき、媒体ＰＰは、スイッチバックガイド２１２に案内され得る。
【００５４】
切替ローラー２１４は、回転方向の切り替えにより媒体ＰＰの搬送方向を切り替える。具体的には、切替ローラー２１４は、記録部６から排出された媒体ＰＰを順回転により排出方向に搬送し、逆回転により媒体ＰＰを排出方向とは反対方向（以下、「スイッチバック方向」という。）に媒体ＰＰを搬送する。
【００５５】
スイッチバックガイド２１２は、スイッチバック方向に搬送される媒体ＰＰを、記録部６の下流側領域から合流領域ＡＪに案内する経路（反転搬送経路ＬＣ）を構成する。具体的には、スイッチバックガイド２１２は、媒体支持部２３の下方に配置され、スイッチバックガイド２１２の一方の端部２１２ａは、スイッチバックされる媒体ＰＰを受けるように切替レバー２１１の下方に配置され、スイッチバックガイド２１２の他方の端部２１２ｂは、合流領域ＡＪの下方開口部２１５に配置される。
【００５６】
図８〜図１１を参照して、スイッチバックされた先行媒体ＰＰＡに後続媒体ＰＰＢを重ねるときの動作について説明する。
図８は、記録中の先行媒体ＰＰＡの位置を示す。制御装置３０は、駆動装置の制御により、先行媒体ＰＰＡの一面における記録が完了すると、先行媒体ＰＰＡを記録部６の下流側に送り出す。
【００５７】
図９に示されるように、先行媒体ＰＰＡの後端ＰＰＸが切替レバー２１１を通過すると、制御装置３０は、切替レバー２１１を第２位置に配置し、切替ローラー２１４を逆回転させる。すなわち、制御装置３０は、先行媒体ＰＰＡをスイッチバックガイド２１２に案内する。スイッチバックガイド２１２に搬送された先行媒体ＰＰＡは、引き続きスイッチバックガイド２１２に設けられている第３搬送ローラー対２１３により反転搬送経路ＬＣにおける下流に向かって搬送される。
【００５８】
図１０に示されるように、先行媒体ＰＰＡの後端ＰＰＸが第３センサー３３を通過すると、その後、先行媒体ＰＰＡの後端ＰＰＸは、合流領域ＡＪを通過して、第１搬送ローラー対２１に至る。なお、このとき、先行媒体ＰＰＡの裏面が上方に向く。
【００５９】
図１１に示されるように、制御装置３０は、第３センサー３３が先行媒体ＰＰＡの後端ＰＰＸを検出したことに基づいて、その検出から所定期間経過後に、駆動装置の制御により、第２給送部５に積層された後続媒体ＰＰＢをピックアップローラー１４によりピックアップする。その後、制御装置３０は、制御ローラー１７の駆動により、後続媒体ＰＰＢを前方に搬送し、後続媒体ＰＰＢの前端が第１搬送経路ＬＡの直前に至ると後続媒体ＰＰＢの搬送を止める。このとき、先行媒体ＰＰＡの上に後続媒体ＰＰＢの前端部が配置される。このようにして先行媒体ＰＰＡと後続媒体ＰＰＢとの重なりが準備される（図１１の実線参照）。なお、先行媒体ＰＰＡに、第１給送部３に収容されている媒体ＰＰを重ねるときも同様の制御が行われる（図１１の２点鎖線参照）。その後、先行媒体ＰＰＡの記録の最後のパスが完了すると、制御装置３０は、後続媒体ＰＰＢを搬送し、スキュー取りを実行する。その後、記録装置２０１は、先行媒体ＰＰＡの後端部と後続媒体ＰＰＢの前端部とが重なりあう状態で先行媒体ＰＰＡと後続媒体ＰＰＢとを共に搬送する。後続媒体ＰＰＢにおいて先行媒体ＰＰＡの上に重なっている部分（または重なり部分の一部）が媒体ＰＰにおける印刷範囲内に入っている場合には、当該重なり部分にもインクが記録される。
【００６０】
本実施形態の記録装置２０１によれば、以下のような効果を得ることができる。
記録装置２０１は、スイッチバックにより合流領域ＡＪに戻り、合流領域ＡＪの下方から進入する先行媒体ＰＰＡに対して、第１給送部３及び第２給送部５の一方から先行媒体ＰＰＡを送り出し、先行媒体ＰＰＡに後続媒体ＰＰＢを重ねる。このように、上記構成では、先行媒体ＰＰＡを湾曲状態に維持することなく、先行媒体ＰＰＡと後続媒体ＰＰＢとが重ねられる。すなわち、先行媒体ＰＰＡを湾曲状態に維持するための機構を備えないため、記録装置２０１の構造を簡潔にできる。また、先行媒体ＰＰＡの上に後続媒体ＰＰＢが重ねられる確実性が増す。
【００６１】
＜その他の実施形態＞
・搬送駆動ローラー１０は、第１実施形態〜第３実施形態では、１つのローラーにより構成されているが、複数のローラー対で構成され得る。
【００６２】
・第１収容部２及び第２収容部４の形態及び配置は、実施形態の例に限定されない。例えば、第１収容部２は、第２収容部４の直ぐ下に配置され得る。このような構造の記録装置１は、第２実施形態と同様の効果を奏する。
【００６３】
・第１実施形態においては、記録装置１は、第１給送部３と第２給送部５とを備えるが、第１給送部３を省略することもできる。すなわち、記録装置１は、上述した第１搬送ローラー対２１（後述参照）の上流側の空間を有するものとして構成される。この上流側の空間は、記録部６の直前の搬送経路よりも高い位置から媒体ＰＰがその直前の搬送経路に向かって下方に進入し得るように構成される。要するに、記録装置１は、記録部６における媒体ＰＰの搬送方向に沿う搬送経路に対して上方から進入する搬送経路を備え、かつ、両搬送経路が交差する領域が第１搬送ローラー対２１の上流側の空間として構成される。この構成によれば、第２給送部５から給送される媒体ＰＰは第１実施形態に示した媒体ＰＰの搬送動作と同様に搬送されるようになるため、この構成の記録装置１は、第１実施形態に示された記録装置１に準じた効果を奏する。
【符号の説明】
【００６４】
１…記録装置、２…第１収容部、３…第１給送部、４…第２収容部、５…第２給送部、６…記録部、８…ピックアップローラー、９…第１搬送部、１０…搬送駆動ローラー、１０ａ…回転軸、１１…第１搬送従動ローラー、１２…第２搬送従動ローラー、１３…第１ガイド、１４…ピックアップローラー、１５…第２搬送部、１６…第２ガイド、１７…制御ローラー、２０…搬送部、２１…第１搬送ローラー対、２２…第２搬送ローラー対、２３…媒体支持部、３０…制御装置、３１…第１センサー、３２…第２センサー、ＳＰ…重ね空間、ＮＳ…非支持部、ＬＡ…第１搬送経路、ＬＢ…第２搬送経路、ＬＣ…反転搬送経路、ＡＪ…合流領域。
【図１】
2017178485.tif 000003
【図２】
2017178485.tif 000004
【図３】
2017178485.tif 000005
【図４】
2017178485.tif 000006
【図５】
2017178485.tif 000007
【図６】
2017178485.tif 000008
【図７】
2017178485.tif 000009
【図８】
2017178485.tif 000010
【図９】
2017178485.tif 000011
【図１０】
2017178485.tif 000012
【図１１】
2017178485.tif 000013